(57)【要約】【課題】電気機器のレイアウト自由度を向上させることのできるフロアパネルシステムを得る。【解決手段】伝送物管理装置８から伝送線６に高周波電流を供給して、伝送路７の周囲に磁束密度が変化する磁界を発生させる。伝送路７に発生した磁界の磁束密度変化を利用して誘導電流を発生させる電磁ピックアップ１０を設け、この電磁ピックアップ１０をフロアパネル４の表面に伝送路７に対して非接触状態で載置する。電磁ピックアップ１０で発生した電流をアウトレット９に供給する。これにより、電磁ピックアップ１０を伝送路７が配設されている部分であれば、フロアパネル４の上面に電磁ピックアップ１０を載置するのみで電力や情報信号を取り出すことができる。【選択図】図１
2010112014.tif 000002
【特許請求の範囲】
【請求項１】
基礎床上に複数のフロアパネルを敷設して二重床を構築するフロアパネルシステムであって、
前記フロアパネルに設けられた伝送媒体に高周波電流を供給し、当該伝送媒体の周囲に発生する磁界の磁束密度を変化させる高周波電源と、
前記フロアパネルの表面に前記伝送媒体に対して非接触状態で載置され、前記伝送媒体の磁束密度変化で誘導電流を発生させる電磁ピックアップと、
前記電磁ピックアップに電気的に接続して、当該電磁ピックアップで発生した電流が供給されるアウトレットと、を備えることを特徴とするフロアパネルシステム。
【請求項２】
前記フロアパネルには開口部が形成されており、
当該フロアパネルは、前記開口部を開閉可能に閉止する平坦な蓋体を備え、
前記蓋体を、前記電磁ピックアップの設置部分としたことを特徴とする請求項１に記載のフロアパネルシステム。
【発明の詳細な説明】
【技術分野】
【０００１】
本発明は、基礎床上にフロアパネルを敷設することで二重床を構築するフロアパネルシステムに関する。
【背景技術】
【０００２】
従来、フロアパネルシステムとして、一端部にコンセントを接続するとともに他端部にプラグを接続した配線をフロアパネルの内部に設け、当該フロアパネルを順次敷設し、隣接するフロアパネルどうしのコンセントとプラグを電気的に接続させるとともに、フロアパネルの上面に上方に向かって開口するアウトレット用コンセントを埋設し、当該アウトレット用コンセントを分岐配線を介して上記配線に電気的に接続させたものが知られている（例えば、特許文献１参照）。
【特許文献１】実開平４−１３４１２７号公報
【発明の開示】
【発明が解決しようとする課題】
【０００３】
しかしながら、従来のフロアパネルシステムでは、アウトレットの取出し位置がフロアパネルの上面に設けたコンセントの配設位置のみに限定されるため、電気機器の設置がアウトレット用コンセントの配設位置近傍に限定されてしまい、電気機器のレイアウト自由度が制限されるという問題があった。
【０００４】
そこで、本発明は、電気機器のレイアウト自由度を向上させることのできるフロアパネルシステムを得ることを目的とする。
【課題を解決するための手段】
【０００５】
請求項１の発明にあっては、基礎床上に複数のフロアパネルを敷設して二重床を構築するフロアパネルシステムであって、前記フロアパネルに設けられた伝送媒体に高周波電流を供給し、当該伝送媒体の周囲に発生する磁界の磁束密度を変化させる高周波電源と、前記フロアパネルの表面に前記伝送媒体に対して非接触状態で載置され、前記伝送媒体の磁束密度変化で誘導電流を発生させる電磁ピックアップと、前記電磁ピックアップに電気的に接続して、当該電磁ピックアップで発生した電流が供給されるアウトレットと、を備えることを特徴とする。
【０００６】
請求項２の発明にあっては、請求項１に記載のフロアパネルシステムにおいて、前記フロアパネルには開口部が形成されており、当該フロアパネルは、前記開口部を開閉可能に閉止する平坦な蓋体を備え、前記蓋体を、前記電磁ピックアップの設置部分としたことを特徴とする。
【発明の効果】
【０００７】
請求項１の発明によれば、伝送媒体の周囲に発生する磁界の磁束密度の変化を電磁ピックアップで拾うことにより、伝送媒体に接触していない状態で電磁ピックアップに誘導電流を発生させることができる。これにより、伝送媒体が配設されている部分であれば、フロアパネルの上面に電磁ピックアップを載置するのみで電力や情報信号を取り出すことができ、それをアウトレットに送ることができる。したがって、配線が配設されている部分であれば、いかなる場所であっても情報信号を非接触状態で簡単に取り出すことができ、電気機器のレイアウト自由度を向上させることができる。
【０００８】
請求項２の発明によれば、伝送媒体の取出し用の開口部を開閉可能に閉止する平坦な蓋体を、電磁ピックアップの設置部分としたため、その蓋体が閉止されている時に電磁ピックアップを用いて電力や情報信号を取り出すことができ、また、電磁ピックアップを用いることなく通常の床下配線用としても用いることができるようになる。したがって、いずれかの選択が可能となってフロアパネルの用途を広げることができる。
【発明を実施するための最良の形態】
【０００９】
［第１の実施形態］
本発明の第１の実施形態について図面を参照しながら説明する。図１は、本実施形態にかかるフロアパネルシステムを概略的に示す斜視図、図２は電磁ピックアップの設置状態を示す斜視図、図３は電磁ピックアップの設置部分の床面を分解して示す側面図である。
【００１０】
まず、フロアパネルシステム１の概要を説明する。図１に示すように、フロアパネルシステム１は、基礎床２上に配置される複数の支柱３と、これらの支柱３を介して基礎床２上に碁盤の目状に敷設される矩形の複数のフロアパネル４と、を備えている。フロアパネル４は、その４隅が支柱３によって支持されるようになっており、隣合うフロアパネル４の隣合う隅同士は、同一の支柱３によって支持される。このフロアパネルシステム１と基礎床２とによって、フロアパネル４と基礎床２との間に空間（床下空間）５を有する二重床が形成される。
【００１１】
フロアパネル４には、伝送物を伝送する伝送媒体である伝送線６が設けられている。ここで、便宜上、図面において伝送線６は単に線で示してある。伝送線６は、フロアパネル４の中心部を挟んで相互に対向するフロアパネル４の隅同士を結ぶように配置されており、全体でＸ字状を成している。隣合うフロアパネル４の伝送線６同士は、支柱３の導体部を介して接続され、これらの伝送線６及び導体部等によって、フロアパネルシステム１内に伝送路７が形成される。この伝送路７には、伝送物管理装置８やアウトレット（外部接続機器）９が接続可能となっており、アウトレット９に接続された電気機器（図示せず）と伝送物管理装置８とが伝送路７（伝送線６）を介して接続されるようになっている。
【００１２】
フロアパネルシステム１が伝送路７によって伝送する伝送物は、電力と情報信号との少なくとも一方である。つまり、伝送物は、電力のみ、情報信号のみ、又は、電力と情報信号との両方である。フロアパネルシステム１は、電力を伝送する場合には、電力供給システムとして機能し、情報信号を伝送する場合には、情報伝送システムとして機能し、電力と情報信号との両方を伝送する場合には、電力・情報複合システムとして機能する。
【００１３】
電力は、交流又は直流であってもよいが、本実施形態では、後述するように伝送物管理装置８を高周波電源として用いる関係上、電力は交流となる。情報信号は、アナログ信号やデジタル信号である。情報信号は、具体的には、ＬＡＮ用信号、ｘＤＳＬ用信号、テレビジョン受像機用信号、電話機用信号、電気機器用制御信号等であり、これらの信号は高周波の電気信号によって構成される。情報信号は、電力と別体又は一体に伝送され、情報信号が電力と一体に伝送される場合には、情報信号が重畳された交流が用いられる。
【００１４】
伝送物管理装置８は、電力を供給可能な電源装置、情報を送受信可能なサーバ、又は、それら電源装置及びサーバの両方の機能を有する複合装置等であるが、特に、本実施形態では伝送物管理装置８は、後述するように、伝送路７に高周波電流を供給する高周波電源となっている。
【００１５】
伝送線６は、伝送物が電力である場合には、電力を伝送可能な電源線が用いられ、伝送物が情報信号である場合には、情報信号を伝送可能なメタル線等の情報通信線が用いられる。また、伝送物が電力と情報信号との両方である場合には、伝送線６は、電源線と情報通信線との２系統で構成されるか、又は、電源線だけの１系統で構成される。伝送線６が電源線だけの１系統で構成される場合には、この電源線によって、情報信号が重畳された交流が伝送される。
【００１６】
アウトレット９は、伝送物が電力である場合には、交流用コンセントや特定の電気機器用の専用端子等の電力用アウトレットが用いられる。図１には、アウトレット９として交流用コンセントを例示してある。交流用コンセントには、電源用フロアコンセントやテーブルタップ、各種電気機器が接続可能である。
【００１７】
また、アウトレット９は、伝送物が情報信号である場合には、情報コンセントや、特定の電気機器用の専用端子等の情報用アウトレットが用いられる。情報コンセントは、具体的には、ＬＡＮ用コンセントや、テレビジョン受像機用コンセント、電話機用コンセント、複合コンセント等である。複合コンセントは、ＬＡＮ用コンセントや、テレビジョン受像機用コンセント、電話機用コンセント等の種類が異なる２つ以上のコネクタを一体に備えるコンセントである。情報用アウトレットには、情報用フロアコンセントやテーブルタップ、無線通信端末、ＬＡＮ機器、コンピュータ、テレビジョン受像機、電話機等の各種電気機器が接続可能である。
【００１８】
また、アウトレット９は、伝送物が電力と情報信号との両方の場合には、伝送線６の種類に応じて、上述した電力用アウトレット及び情報用アウトレットの両方や、電力用アウトレット及び情報用アウトレットを一体化した複合アウトレット、特定の電気機器用の専用端子が用いられる。複合アウトレットには、電源・情報複合フロアコンセントやテーブルタップ、無線通信端末、ＬＡＮ機器、コンピュータ、テレビジョン受像機、電話機等の各種電気機器が接続可能である。
【００１９】
ここで、本実施形態のフロアパネルシステム１は、図１に示すように、高周波電源としての伝送物管理装置８から伝送媒体としての伝送線６に高周波電流を供給するようになっており、伝送物管理装置８から供給する高周波電流によって伝送路７の周囲に磁束密度が変化する磁界を発生させている。
【００２０】
そして、図２に示すように、伝送路７に発生した磁界の磁束密度変化を利用して誘導電流を発生させる電磁ピックアップ１０を設け、この電磁ピックアップ１０をフロアパネル４の表面に伝送路７に対して非接触状態で載置するようになっている。電磁ピックアップ１０で発生した電流は、当該電磁ピックアップ１０に電気的に接続したアウトレット９に供給される。
【００２１】
電磁ピックアップ１０は、床面に接触する下部がコイルを設けたコアとなっている。そして、伝送路７に供給された高周波電流の周波数に応じて、伝送路７に磁界の増大・減衰現象が発生し、それが磁束密度の変化となって電磁ピックアップ１０のコイルに誘導電流が発生するようになっている。
【００２２】
電磁ピックアップ１０とアウトレット９とはハーネス９Ｈによって電気的に接続されており、それら電磁ピックアップ１０とアウトレット９とが一体となって床面上の任意の部位に設置できるようになっている。
【００２３】
本実施形態では、図３に示すように、フロアパネル４の上面にカーペット１１が敷設されており、このカーペット１１とフロアパネル４との間に上述した伝送線６が挟み込まれるようにして配設されている。なお、図１では伝送線６を便宜上単に線状として示したが、実際には、図３に示すように、所定幅を有する薄肉の帯板状に形成されており、その帯板状の伝送線６がカーペット１１の裏面に配置された際にも、カーペット１１はほとんど盛り上がることなく平坦性が維持されるようになっている。
【００２４】
そして、電磁ピックアップ１０は、カーペット１１の上方から伝送線６の幅内に載置されることになる。このとき、電磁ピックアップ１０の底面１０ａには面ファスナー１２が取り付けられており、その面ファスナー１２がカーペット１１に着脱自在に結着されることにより、電磁ピックアップ１０のズレや外れを防止できるようになっている。
【００２５】
以上の本実施形態によれば、伝送路７の周囲に発生する磁界の磁束密度の変化を電磁ピックアップ１０で拾うことにより、伝送路７に接触していない状態で電磁ピックアップ１０に誘導電流を発生させることができる。これにより、伝送路７が配設されている部分であれば、フロアパネル４の上面に電磁ピックアップ１０を載置するのみで電力や情報信号を取り出すことができ、それをアウトレット９に送ることができる。したがって、伝送線６が配設されている部分であれば、いかなる場所であっても電力や情報信号を非接触状態で簡単に取り出すことができ、電気機器のレイアウト自由度を向上させることができる。
【００２６】
ところで、本実施形態にあっては、カーペット１１とフロアパネル４との間に上述した伝送線６が挟み込まれて配設されることによって、フロアパネル４と基礎床２との間の空間５に配設する伝送線６を少なくしたり無くすことができる。これにより、フロアパネルシステム１の床面（上面）を低くすることができるようになり、室内空間の高さを高くして室内を広くすることができる。
【００２７】
また、カーペット１１とフロアパネル４との間に伝送線６を配設することによって、フロアパネル４に電気機器９９を内蔵してその電気機器９９を伝送線６に接続したり、フロアパネル４外の電気機器（図示せず）を伝送線６に接続（以下、外部接続ともいう）することができ、これにより、そのフロアパネル４内外の電気機器９９の遠隔制御や使用をすることができる。このような構成の例を以下に説明する。
【００２８】
例えば、フロアパネル４に内蔵又は外部接続する電気機器９９として位置検出センサを採用することで、人の位置を検出することが可能となる。
【００２９】
また、フロアパネル４に内蔵又は外部接続する電気機器９９として空調機器を採用することで、温度や湿度などの室内空気環境を個別制御することが可能となる。
【００３０】
また、フロアパネル４に内蔵又は外部接続する電気機器９９として照明器具を採用することで、室内照明を制御することが可能となる。
【００３１】
また、フロアパネル４に内蔵又は外部接続する電気機器９９として電力量センサを採用することで、フロアパネルシステム１内の電力量や電力分配を制御することが可能となる。
【００３２】
また、フロアパネル４に内蔵又は外部接続する電気機器９９として物体の有無を検出可能な荷重センサを採用することで、有形資産の位置を検出して管理することが可能となる。
【００３３】
また、フロアパネル４に内蔵又は外部接続する電気機器９９として、人を検出可能な人感センサを採用することで、不審者の存在（危険）を労働者に通知することが可能となる。この場合、例えば、フロアパネルシステム１を廊下に適用して、残業中の労働者に不審者が廊下にいるなどの危険を通知することが可能となる。
【００３４】
また、フロアパネル４に内蔵又は外部接続する電気機器９９として圧電素子を採用することで、電力を生み出してその電力を他の電気機器に供給することが可能となる。
【００３５】
［第２の実施形態］
本発明の第２の実施形態について図面を参照して説明する。図４は、本実施形態にかかるフロアパネルシステムを概略的に示す斜視図、図５は、フロアパネルの１つを示す拡大斜視図である。
【００３６】
図４に示すように、本実施形態のフロアパネルシステム１０１の基本的な構造は、第１の実施形態のフロアパネルシステム１と同じである。よって、第１の実施形態との相違点を中心に説明し、第１の実施形態と同じ部分には同一符号を付し重複する説明は省略する。
【００３７】
図４に示すように、本実施形態のフロアパネルシステム１０１は、各フロアパネル１０４の四隅部がそれぞれ支柱３で支持され、また、図５に示すように、複数のフロアパネル１０４のいずれかに蓋体としてのワイヤーリングカバー１３が設けられるようになっている。
【００３８】
すなわち、本実施形態のフロアパネルシステム１０１では、図４に示すように、敷設されるフロアパネル１０４の四隅部に対応して基礎床２上に配置される複数の支柱３と、これらの支柱３を介して基礎床２上に碁盤の目状に敷設される複数の矩形状のフロアパネル１０４と、を備えている。各フロアパネル１０４は、それらの四隅が支柱３によって支持されるようになっており、隣合うフロアパネル１０４の隣合う隅同士は、同一の支柱３によって支持される。
【００３９】
また、フロアパネル１０４は、矩形板状に形成されて内部空間を有するパネル本体１０４Ｍを骨格部材として備えており、このパネル本体１０４Ｍ内に伝送線６が配設されている。伝送線６は、図５に示すように、第１の実施形態と同様に帯板状に形成されて、フロアパネル１０４の対辺の中央部同士を結ぶように各フロアパネル１０４において全体的に十字状を成している。
【００４０】
そして、図４に示すように、隣接するフロアパネル１０４の伝送線６同士が、フロアパネル１０４の突き合わせ端に設けた図外のコネクタを介して接続され、これらの伝送線６及びコネクタ等によってフロアパネルシステム１０１内に伝送路１０７が形成される。
【００４１】
勿論、本実施形態にあっても、伝送物管理装置８から伝送路１０７に高周波電流を供給するとともに、伝送路１０７に発生した磁界の磁束密度変化を利用して電磁ピックアップ１０に誘導電流を発生させ、その電流をアウトレット９に供給するようになっている。この場合、フロアパネル１０４の上面に第１の実施形態と同様にカーペットを敷設して、電磁ピックアップ１０を面ファスナーで着脱自在に結着することが好ましい。
【００４２】
ワイヤーリングカバー１３は、図５に示すように、特定のフロアパネル１０４に設けられた伝送線６の取出し用の開口部１３ａを開閉可能に閉止するようになっており、本実施形態ではフロアパネル１０４の一側部を切欠いてその開口部１３ａを形成してある。このとき、開口部１３ａは伝送線６の取り出し易い位置、つまり、伝送線６の配設部分に対応して形成されることになる。また、ワイヤーリングカバー１３は開口部１３ａを平坦に閉止するようになっている。
【００４３】
ここで、本実施形態のフロアパネルシステム１０１では、上述のワイヤーリングカバー１３を、電磁ピックアップ１０の設置部分として設定している。
【００４４】
以上の本実施形態によれば、伝送路１０７の周囲に発生する磁界の磁束密度の変化を電磁ピックアップ１０で拾うことにより、伝送路１０７に非接触状態で電磁ピックアップ１０に誘導電流を発生させることができ、第１の実施形態のフロアパネルシステム１と同様の作用効果を奏することができる。
【００４５】
特に、本実施形態では、伝送線６の取出し用の開口部１３ａを閉止するワイヤーリングカバー１３を電磁ピックアップ１０の設置部分としたので、ワイヤーリングカバー１３が閉止されている時に当該ワイヤーリングカバー１３に電磁ピックアップ１０を設置することにより、開口部１３ａ内に収納された伝送線６に非接触の状態で電磁ピックアップ１０に誘導電流を発生させることができる。また、ワイヤーリングカバー１３に電磁ピックアップ１０を設置しない場合は、そのワイヤーリングカバー１３を通常の床下配線用としても用いることができる。
【００４６】
したがって、ワイヤーリングカバー１３は、電磁ピックアップ１０を用いた電力取出し用か、電磁ピックアップ１０を用いることなく通常の床下配線用か、のいずれかを選択することが可能となり、フロアパネル１０４の用途を広げることができる。
【００４７】
また、本実施形態では、フロアパネル１０４のパネル本体１０４Ｍ内に伝送線６を設けることによって、第１の実施形態と同様に、フロアパネル１０４と基礎床２との間の空間５に配設する伝送線を少なくしたり無くすことができる。したがって、パネル本体１０４Ｍ内に伝送線６を設けずにフロアパネル１０４と基礎床２との間の空間５にだけ伝送線を配設する場合に比べて、フロアパネル１０４と基礎床２との間の空間５の高さを低くすることができ、フロアパネルシステム１０１の床面（上面）を低くすることができる。よって、室内空間の高さを高くして室内を広くすることができる。
【００４８】
また、フロアパネル１０４に伝送線６を一体に設けることによって、第１の実施形態と同様に、フロアパネル１０４に電気機器９９を内蔵してその電気機器９９を伝送線６に接続したり、フロアパネル１０４外の電気機器（図示せず）を伝送線６に接続することができ、これにより、そのフロアパネル１０４に内外の電気機器９９の遠隔制御や使用をすることができる。このような構成の例は、第１の実施形態と同じであるため、説明は省略する。
【００４９】
ここで、フロアパネル１０４の変形例を説明する。以下の各変形例は、フロアパネル１０４に対して、伝送線６の配置が異なり、その他の構成は同じである。
【００５０】
図６は、本実施形態にかかるフロアパネルの第１の変形例を概略的に示す斜視図である。図６に示す第１の変形例のフロアパネル１０４Ａでは、フロアパネル１０４Ａの一組の対辺の中央部同士を結ぶように伝送線６が設けられており、伝送線６は直線状を成している。
【００５１】
図７は、本実施形態にかかるフロアパネルの第２の変形例を概略的に示す斜視図である。図７に示す第２の変形例のフロアパネル１０４Ｂでは、フロアパネル１０４Ｂの連続する３辺の中間部分を接続するように伝送線６が設けられており、伝送線６が全体で略Ｖ字状を成している。
【００５２】
図８は、本実施形態にかかるフロアパネルの第３の変形例を概略的に示す斜視図である。図８に示す第３の変形例のフロアパネル１０４Ｃでは、フロアパネル１０４Ｃの一組の対辺同士を結ぶように一対の伝送線６が相互に平行に設けられている。
【００５３】
図９は、本実施形態にかかるフロアパネルの第４の変形例を概略的に示す斜視図である。図９に示す第４の変形例のフロアパネル１０４Ｄでは、フロアパネル１０４Ｄの隣合う辺同士を接続するように伝送線６が設けられており、これらの伝送線６は相互に離間して配置されている。
【００５４】
したがって、これらの各種のフロアパネル１０４，１０４Ａ，１０４Ｂ，１０４Ｃ，１０４Ｄを組み合わせることにより、フロアパネルシステム１０１の伝送路１０７の経路を多種多様に構築することができる。
【００５５】
[第３の実施形態]
本発明の第３の実施形態について図面を参照しながら説明する。図１０は、本実施形態にかかるフロアパネルシステムを概略的に示す斜視図である。
【００５６】
図１０に示すように、本実施形態のフロアパネルシステム２０１は、フロアパネル２０４及び伝送路２０７が、第１の実施形態のフロアパネルシステム１は第２の実施形態のフロアパネルシステム１０１に対して異なる。
【００５７】
具体的には、本実施形態のフロアパネルシステム２０１は、基礎床２上に配置される複数の支柱３と、これらの支柱３を介して基礎床２上に碁盤の目状に敷設される矩形の複数のフロアパネル２０４と、を備えている。フロアパネル２０４は、その四隅が支柱３によって支持されるようになっており、隣合うフロアパネル２０４の隣合う隅同士は、同一の支柱３によって支持される。このフロアパネルシステム２０１と基礎床２とによって、フロアパネル２０４と基礎床２との間に空間５を有する二重床が形成される。
【００５８】
床面上には、各フロアパネル２０４の中心部を挟んで相互に対向するフロアパネル２０４の隅同士を結ぶように伝送線６が配設されており、その伝送線６は各フロアパネル２０４において全体的にＸ字状を成している。隣合うフロアパネル２０４の伝送線６同士は、支柱３の導体部を介して接続され、これらの伝送線６及び導体部等によって、フロアパネルシステム２０１内に伝送路７が形成される。この伝送路７には、高周波電源となる伝送物管理装置８やアウトレット９が接続可能となっており、アウトレット９に接続された電気機器（図示せず）と伝送物管理装置８とが伝送路７を介して接続されるようになっている。
【００５９】
勿論、本実施形態にあっても、伝送物管理装置８から伝送路２０７に高周波電流を供給するとともに、伝送路２０７に発生した磁界の磁束密度変化を利用して電磁ピックアップ１０に誘導電流を発生させ、その電流をアウトレット９に供給するようになっている。この場合、フロアパネル２０４の上面に第１の実施形態と同様にカーペットを敷設して、電磁ピックアップ１０を面ファスナーで着脱自在に結着することが好ましい。
【００６０】
以上の本実施形態にあっても、伝送路１０７の周囲に発生する磁界の磁束密度の変化を電磁ピックアップ１０で拾うことにより、伝送路１０７に非接触の状態で電磁ピックアップ１０に誘導電流を発生させることができ、第１の実施形態のフロアパネルシステム１と同様の作用効果を奏することができる。
【００６１】
ところで、本実施形態では、電磁ピックアップ１０を、伝送線６に対応したフロアパネル２０４の上面のみに限ることなく、支柱３が伝送路２０７の一部を構成することから、その支柱３の上端にも配置することによっても誘導電流を発生させることができる。
【００６２】
ここで、フロアパネル２０４の変形例を説明する。以下の各変形例は、フロアパネル２０４に対して、伝送線６の配置が異なり、その他の構成は同じである。
【００６３】
図１１は、本実施形態にかかるフロアパネルの第１の変形例を概略的に示す斜視図である。図１１に示す第１の変形例のフロアパネル２０４Ａでは、その外周の４辺の各縁部に、それらの辺に沿って伝送線６が設けられており、これらの伝送線６は全体で略矩形を成している。
【００６４】
図１２は、本実施形態にかかるフロアパネルの第２の変形例を概略的に示す斜視図である。図１２に示す第２の変形例のフロアパネル２０４Ｂでは、その外周の隣合う２辺の各縁部に、それらの辺に沿って伝送線６が設けられており、これらの伝送線６が全体で略Ｌ字状を成している。
【００６５】
図１３は、本実施形態にかかるフロアパネルの第３の変形例を概略的に示す斜視図である。図１３に示す第３の変形例のフロアパネル２０４Ｃでは、その外周の一つの辺の縁部に、その辺に沿って伝送線６が設けられており、伝送線６は直線状となっている。
【００６６】
これらの各種のフロアパネル２０４，２０４Ａ，２０４Ｂ，２０４Ｃを組み合わせることにより、フロアパネルシステム２０１の伝送路７の経路を多種多様に構築することができる。
【００６７】
［第４の実施形態］
本発明の第４の実施形態について図面を参照して説明する。図１４は、本実施形態にかかるフロアパネルシステムを概略的に示す斜視図、図１５は、フロアパネルを概略的に示す斜視図である。なお、第１〜第３の実施形態と同じ部分には同一符号を付して重複する説明は省略する。
【００６８】
図１４に示すように、本実施形態のフロアパネルシステム３０１は、置き敷きタイプの矩形のフロアパネル３０４を複数備えており、これらのフロアパネル３０４が基礎床２上に碁盤の目状に直接敷設される。このフロアパネルシステム３０１と基礎床２とによって、二重床が形成される。なお、図１４では、フロアパネル３０４同士の境界部分を太線で示してある。
【００６９】
図１４に示すように、フロアパネル３０４は、矩形板状のパネル本体３０４Ｍを骨格部材として備えている。このパネル本体３０４Ｍには、上面開口の配線用溝３１１が十字状に形成されており、この配線用溝３１１の上面は、着脱可能な蓋３１２で閉塞される。隣合うフロアパネル３０４同士の配線用溝３１１は、相互に連通されており、かかる複数の配線用溝３１１によって、フロアパネルシステム３０１に格子状の溝３１３が形成される。この溝には伝送線が配設可能となっている。
【００７０】
蓋３１２には、伝送線６が配線用溝３１１の形状に合わせて十字状をなすように設けられている。そして、隣合うフロアパネル３０４における蓋３１２の伝送線６同士は、相互に接続され、これらの蓋３１２内の伝送線６等によって、フロアパネルシステム３０１内に格子状の伝送路３０７が形成される。この伝送路３０７には、第１の実施形態と同様に、高周波電源となる伝送物管理装置８やアウトレット９が接続可能となっており、アウトレット９に接続された電気機器（図示せず）と伝送物管理装置８とが伝送路３０７を介して接続されるようになっている。フロアパネルシステム３０１が伝送路３０７によって伝送する伝送物は、第１の実施形態と同じである。
【００７１】
勿論、本実施形態にあっても、伝送物管理装置８から伝送路３０７に高周波電流を供給するとともに、伝送路３０７に発生した磁界の磁束密度変化を利用して電磁ピックアップ１０に誘導電流を発生させ、その電流をアウトレット９に供給するようになっている。この場合、フロアパネル３０４の上面に第１の実施形態と同様にカーペットを敷設して、電磁ピックアップ１０を面ファスナーで着脱自在に結着することが好ましい。
【００７２】
以上の本実施形態によれば、フロアパネル３０４の蓋３１２内に伝送線６が設けられていることにより、フロアパネル３０４を基礎床２に直接敷設しても、フロアパネルシステム３０１内に伝送路３０７が形成されるので、フロアパネル３０４の下面と基礎床２との間に配線用の空間を形成する必要がなく、その分、フロアパネルシステム３０１の床面（上面）を低くすることができる。よって、室内空間の高さを高くして室内を広くすることができる。なお、このような効果は、例えば、第２の実施形態のフロアパネル１０４を支柱３を介さずに直接基礎床２に敷設することでも得ることができる。また、第１の実施形態のフロアパネル４を支柱３を介さずに直接基礎床２に敷設して、隣合うフロアパネル４の伝送線６同士を接続部材によって接続することによっても、上記と同じ効果を得ることができる。
【００７３】
また、このようにフロアパネル３０４に伝送線６を一体に設けることによって、第１の実施形態と同様に、フロアパネル３０４に電気機器９９を内蔵してその電気機器９９を伝送線６に接続したり、フロアパネル３０４外の電気機器（図示せず）を伝送線６に接続することができ、これにより、そのフロアパネル３０４内外の電気機器９９の遠隔制御や使用をすることができる。このような構成の例は、第１の実施形態と同じであるため、説明は省略する。
【００７４】
なお、本発明は、上記実施形態に限ることなく本発明の要旨を逸脱しない範囲で他の実施形態を各種採用することができる。例えば、第１の実施形態では伝送線６をフロアパネル４とカーペット１１との間に配設したが、フロアパネル４のパネル本体内に伝送線６を配設してもよい。また、第２・第３の実施形態では、パネル本体１０４Ｍ、２０４Ｍ内に伝送線６が設けられたものを説明したが、これに限ることなく、伝送線６がパネル本体１０４Ｍ、２０４Ｍの外側に配置されてパネル本体１０４Ｍ、２０４Ｍに一体に設けられたものであっても良い。例えば、パネル本体１０４Ｍ、２０４Ｍの下面に沿って伝送線６が設けられていても良い。また、第２・第３の実施形態のパネル本体１０４Ｍ、２０４Ｍ内に、例えばモルタル等の充填物を充填しても良い。
【００７５】
また、第４の実施形態では、蓋３１２内に伝送線６が設けられたものを説明したが、これに限ることなく、伝送線６が蓋３１２の外側に配置されて蓋３１２に一体に設けられたものであっても良い。例えば、蓋３１２の下面に沿って伝送線６が設けられていても良い。
【００７６】
また、電磁ピックアップ１０は、フロアパネルの上面に敷設したカーペットに面ファスナーを介して着脱自在に結着したが、カーペットや面ファスナーを用いることなく、吸盤や磁石によってフロアパネルの上面に直接着脱自在に取り付けるようにしてもよい。
【図面の簡単な説明】
【００７７】
【図１】本発明の第１の実施形態にかかるフロアパネルシステムを概略的に示す斜視図である。
【図２】本発明の第１の実施形態にかかる電磁ピックアップの設置状態を示す斜視図である。
【図３】本発明の第１の実施形態にかかる電磁ピックアップの設置部分の床面を分解して示す側面図である。
【図４】本発明の第２の実施形態にかかるフロアパネルシステムを概略的に示す斜視図である。
【図５】本発明の第２の実施形態にかかるフロアパネルの１つを示す拡大斜視図である。
【図６】本発明の第２の実施形態にかかるフロアパネルの第１の変形例を概略的に示す斜視図である。
【図７】本発明の第２の実施形態にかかるフロアパネルの第２の変形例を概略的に示す斜視図である。
【図８】本発明の第２の実施形態にかかるフロアパネルの第３の変形例を概略的に示す斜視図である。
【図９】本発明の第２の実施形態にかかるフロアパネルの第４の変形例を概略的に示す斜視図である。
【図１０】本発明の第３の実施形態にかかるフロアパネルシステムを概略的に示す斜視図である。
【図１１】本発明の第３の実施形態にかかるフロアパネルの第１の変形例を概略的に示す斜視図である。
【図１２】本発明の第３の実施形態にかかるフロアパネルの第２の変形例を概略的に示す斜視図である。
【図１３】本発明の第３の実施形態にかかるフロアパネルの第３の変形例を概略的に示す斜視図である。
【図１４】本発明の第４の実施形態にかかるフロアパネルシステムを概略的に示す斜視図である。
【図１５】本発明の第４の実施形態にかかるフロアパネルを概略的に示す斜視図である。
【符号の説明】
【００７８】
１、１０１、２０１、３０１  フロアパネルシステム
２  基礎床
４、１０４、１０４Ａ〜１０４Ｄ、２０４、２０４Ａ〜２０４Ｃ、３０４  フロアパネル
５  空間
６  伝送線（伝送媒体）
８  伝送物管理装置（高周波電源）
９  アウトレット
１０  電磁ピックアップ
１３  ワイヤーリングカバー（蓋体）
１３ａ  開口部
【図１】
2010112014.tif 000003
【図２】
2010112014.tif 000004
【図３】
2010112014.tif 000005
【図４】
2010112014.tif 000006
【図５】
2010112014.tif 000007
【図６】
2010112014.tif 000008
【図７】
2010112014.tif 000009
【図８】
2010112014.tif 000010
【図９】
2010112014.tif 000011
【図１０】
2010112014.tif 000012
【図１１】
2010112014.tif 000013
【図１２】
2010112014.tif 000014
【図１３】
2010112014.tif 000015
【図１４】
2010112014.tif 000016
【図１５】
2010112014.tif 000017